(57)【要約】【課題】  検体あるいは試薬等の溶液を所定量だけ容易に、かつ再現性よく正確に側収納部から流出させることができる検査用プレートを提供することを目的とする。【解決手段】  上流側収納部４に、長さＬ０を有する底面４ａと傾斜角θを有する側面４ｂ２とを形成し、底面４ａと側面４ｂ２等を撥水面とする。  このようにすると、上流側収納部４内に収納される検体７が球形状になり、検体７は、収納最大球Ｋ０の、長さＬ０および傾斜角θによって決定される収納最大体積となったときに、上流側収納部４から流路５に自動的に流出する。その結果、検体７を所定量だけ容易に、かつ再現性よく正確に上流側収納部４から流出させることができる。【選択図】図３
2006105813.tif 000002
【特許請求の範囲】
【請求項１】
流路と、前記流路の上流側に連結され、検査に使用する溶液を収納するための上流側収納部とを有し、前記上流側収納部から前記流路にまで至る空間を構成する表面のうち、少なくとも前記上流側収納部の表面が撥水面であり、
前記上流側収納部には、前記溶液が所定量未満のときに前記溶液を前記上流側収納部内に保持する保持手段が形成されており、前記溶液が前記所定量となったときに前記保持手段による保持が解除されて、前記溶液が前記上流側収納部から前記流路に流出することを特徴とする検査用プレート。
【請求項２】
前記流路の下流側に、前記流路と連結している下流側収納部を有する請求項１記載の検査用プレート。
【請求項３】
前記上流側収納部および前記流路が複数設けられ、前記下流側収納部が、前記流路の下流側でそれぞれの前記流路と連結している請求項２記載の検査用プレート。
【請求項４】
前記上流側収納部の底面はくぼみ状の凹面で形成され、前記凹面が前記保持手段である請求項１ないし３のいずれかに記載の検査用プレート。
【請求項５】
前記溶液は前記上流側収納部内において球形状となり、前記球の中心が、前記上流側収納部と前記流路との連結部よりも前記流路側に位置したときに、前記溶液が前記上流側収納部から前記流路に流出する請求項１ないし４のいずれかに記載の検査用プレート。
【請求項６】
前記流路の底面が前記流路の下流へ向けて下方向へ傾く傾斜面で形成される請求項１ないし５のいずれかに記載の検査用プレート。
【請求項７】
前記撥水面は、前記空間を構成する表面の全てに形成されている請求項１ないし６のいずれかに記載の検査用プレート。
【請求項８】
前記撥水面は、前記空間を構成する表面に撥水剤がコーティングされて形成されている請求項１ないし７のいずれかに記載の検査用プレート。
【請求項９】
前記撥水剤はトリアジン環を有し、前記トリアジン環は、フッ素を含む置換基を１個または２個有するものである請求項８記載の検査用プレート。
【請求項１０】
前記撥水剤は、チオールあるいはアルコキシシランのどちらかまたは両方を置換基として含むものである請求項８または９記載の検査用プレート。
【請求項１１】
請求項２または３記載の検査用プレートを用いた検査方法において、
前記溶液を前記上流側収納部内に徐々に供給し、前記溶液が所定量となったときに、前記上流側溶液が前記上流側収納部から前記流路を通過して、他の溶液を収納した前記下流側収納部に移動し、前記下流側収納部内で、前記溶液と前記他の溶液とが混合されることを特徴とする検査方法。
【発明の詳細な説明】
【技術分野】
【０００１】
本発明は、例えば血液検査、尿検査、あるいはＤＮＡ検査を医療機関や個人などで行うことが可能な簡易な検査用プレートに係わり、特に、検体あるいは試薬等の溶液を所定量だけ容易に、かつ再現性よく正確に収納部から流出させることができる検査用プレート及びその検査用プレートを用いた検査方法に関する。
【背景技術】
【０００２】
近年、ごく微量の試料を対象とする分析、検査用の器具、たとえば血液や尿などの、人体からの採取物（検体）に対する検査用のチップの開発が盛んになっている。その１例である、ＤＮＡチップは、ガラスなどの基板上に多種類のＤＮＡ断片（プローブ）が予め埋め込まれたもので、人体から採取した遺伝子の働き具合等を一度に測定することができる。
【０００３】
下記の特許文献１には、各種液体の合成、反応により産生される液体の化学分析を行うにあたり、廃液の量を減らすために微小量の液体を混合することができる、微小流路を有するセル基板に関する発明が開示されている。
【０００４】
図６Ａは前記セル基板を示す斜視図、図６Ｂは図６Ａの１０−１０線における中央横断面図である。
【０００５】
合成、反応させる液体は、キャピラリー等で、カナル１００の上流側に設けられた注入口１０１ａ，１０１ｂから注入され、カナル１００に沿って流れながら合成、反応させられる。そして、合成、反応させられた液体は、カナル１００の下流部で、透明な樹脂基板１０２とカバー１０１とを通して光学特性等の測定が行われる。
【特許文献１】特開２００３−１８１２５７号公報
【発明の開示】
【発明が解決しようとする課題】
【０００６】
しかし、前記特許文献１に記載の発明では、図６Ａおよび図６Ｂに示すように、注入口１０１ａ，１０１ｂは円柱形状で、単に、合成、反応に使用され、カナル１００に流される液体を通過させるものであるため、所定量の液体を注入口１０１ａ，１０１ｂに注入する場合には、その量を予め測定しておかなければならない。その結果、注入量の測定に時間を要し、検査に要する合計時間が長くなる。また、所定量が微量な場合には、繰り返し正確に測定することが困難であり、その測定誤差のために、合成、反応が所望の条件からずれてしまうという問題もある。
【０００７】
本発明は上記従来の課題を解決するものであり、特に、検体あるいは試薬等の溶液を所定量だけ容易に、かつ再現性よく正確に側収納部から流出させることができる検査用プレートを提供することを目的としている。
【課題を解決するための手段】
【０００８】
本発明の検査用プレートは、流路と、前記流路の上流側に連結され、検査に使用する溶液を収納するための上流側収納部とを有し、前記上流側収納部から前記流路にまで至る空間を構成する表面のうち、少なくとも前記上流側収納部の表面が撥水面であり、
前記上流側収納部には、前記溶液が所定量未満のときに前記溶液を前記上流側収納部内に保持する保持手段が形成されており、前記溶液が前記所定量となったときに前記保持手段による保持が解除されて、前記溶液が前記上流側収納部から前記流路に流出することを特徴とする。
【０００９】
このようにすると、検査に必要な所定の量を予め測定しておくことが不要となり、検査全体にかかる時間を短縮することができる。また、所定量が微量である場合には、繰り返し正確に測定することが困難であるが、本発明では、所定量が上流側収納部の形状により自動的に決まるため、正確な量を容易に、かつ再現性よく上流側収納部から流出させることができる。
【００１０】
本発明の検査用プレートは、前記流路の下流側に、前記流路と連結している下流側収納部を有する。
【００１１】
この構造により、所定量の溶液が上流側収納部から流出すると、流路を経由して下流側収納部内に至る。その結果、下流側収納部内で、上流側から流出した溶液と下流側収納部に収納されていた他の溶液とが混合される。そして、生成した混合物が所定の反応をしたか否か等が測定される。
【００１２】
本発明では、上流側の溶液を所定量だけ容易に、かつ再現性よく上流側収納部から流出させることができる。このため、正確な量の上流側溶液を下流側の溶液と混合させることができ、また、前記測定および検査にかかる時間を短縮することができる。
【００１３】
また本発明では、前記上流側収納部および前記流路が複数設けられ、前記下流側収納部が、前記流路の下流側でそれぞれの前記流路と連結している構成としてもよい。
【００１４】
このようにすると、上流側溶液が多量に必要な場合、あるいは複数種類必要な場合においても、正確な量の上流側溶液を複数の上流側収納部から下流側収納部へ移動させることができ、下流側溶液と適切に混合させることができる。
【００１５】
本発明では、前記上流側収納部の底面はくぼみ状の凹面で形成され、前記凹面が前記保持手段であることが好ましい。
【００１６】
このようにすると、上流側の溶液を、所定量に至るまで上流側収納部内に確実に収納することができる。
【００１７】
本発明では、前記溶液は前記上流側収納部内において球形状となり、前記球の中心が、前記上流側収納部と前記流路との連結部よりも前記流路側に位置したときに、前記溶液が前記上流側収納部から前記流路に流出する。
【００１８】
溶液が球形状となって上流側収納部内に収納されるため、溶液を所定量だけ、再現性よく正確に上流側収納部から流出させることができる。
【００１９】
本発明では、前記流路の底面が前記流路の下流へ向けて下方向へ傾く傾斜面で形成されることが好ましい。
【００２０】
流路の底面が傾斜面であると、上流側収納部から流出した溶液を、特に移動させるための操作を加えることなく、下流側収納部に移動させることができる。
【００２１】
また、本発明では、前記撥水面は、前記空間を構成する表面の全てに形成されていることが好ましい。
【００２２】
このようにすると、マスキング等の煩雑な作業が不要となり、コーティング層の形成作業の作業性を向上させることができる。さらに、上記のようにすると、流路の底面および側面の表面にもコーティング層が形成される。このため、撥水効果が発揮され、流路の底面上においても上流側溶液の球形状が維持され、上流側溶液が、傾斜面となっている流路の底面上を移動しやすくなる。
【００２３】
本発明では、前記撥水面は、前記空間を構成する表面に撥水剤がコーティングされて形成されており、
前記撥水剤はトリアジン環を有し、前記トリアジン環は、フッ素を含む置換基を１個または２個有するものである。
【００２４】
このため、撥水面が、従来の、フッ素が含有された樹脂によって形成される場合と比べて、撥水効果を高くすることができる。撥水効果が高くなると、上流側溶液は、より真球に近い状態で、上流側収納部内に保持される。その結果、所定量未満の溶液を確実に上流側収納部に保持できるとともに、より正確な量の上流側溶液を、上流側収納部から流出させることができる。
【００２５】
上記においては、前記撥水剤は、チオールあるいはアルコキシシランのどちらかまたは両方を置換基として含むものであることが好ましい。
【００２６】
このようにすると、プレート基板と、撥水面を形成するコーティング層との間の接着力が強まり、コーティング層がプレート基板から剥がれ、撥水効果が低下するというトラブルを防止することができる。
【００２７】
本発明の検査方法は、上記の検査用プレートを用いた検査方法において、
前記溶液を前記上流側収納部内に徐々に供給し、前記溶液が所定量となったときに、前記上流側溶液が前記上流側収納部から前記流路を通過して、他の溶液を収納した前記下流側収納部に移動し、前記下流側収納部内で、前記溶液と前記他の溶液とが混合されることを特徴とする。
【００２８】
このようにすると、上流側溶液を所定量だけ容易に、かつ再現性よく正確に上流側収納部から流出させ、下流側溶液と混合させることができる。また、前記測定および検査にかかる時間を短縮することができる。
【発明の効果】
【００２９】
本発明の検査用プレートでは、検体あるいは試薬等の溶液を所定量だけ容易に、かつ再現性よく正確に収納部から流出させることができる。
【発明を実施するための最良の形態】
【００３０】
図１は本発明の検査用プレートを示す斜視図、図２は本発明のプレート基板を示す平面図、図３は上流側の溶液が流路に流出する直前の状態を示す断面図である。なお、図１において、プレート基板の構造を明確にするために、蓋体を点線で示している。また、図３においては、上流側溶液も切断断面が示されているが、流路と区別するために、上流側溶液には断面であることを示す斜線等は施していない。
【００３１】
本発明の検査用プレート１は、例えば人体から血液や尿などを採取し、これら採取物（検体）を、所定の試薬などと反応させて検査を行うためのものである。検査用プレート１を例えばＤＮＡチップとして用いる場合には、採取した血液に必要な処理を施して検体とする。
【００３２】
以下では、上流側の溶液が検体であり、下流側の溶液が試薬の場合について説明する。
図１に示すように、検査用プレート１は、例えば、幅方向（図示Ｘ１−Ｘ２方向）の両端から直角に長さ方向（図示Ｙ１−Ｙ２方向）に延びる略直方形状である。なお、検査用プレート１は、前記略直方形状以外の形状であってもよい。
【００３３】
検査用プレート１は、プレート基板２と蓋体３とで構成される。プレート基板２および蓋体３は、ガラスや樹脂などで形成されており、適当な蛍光強度を有する材質で形成される。特に、検査用プレート１をＤＮＡチップやプロテインチップ等として用いる場合には、検査用プレート１は、低蛍光性で、耐薬品性に優れた材質で形成されることが好ましく、例えば石英ガラス、ポリジメチルシロキサン（ＰＤＭＳ）、ポリメタクリル酸メチル（ＰＭＭＡ）などで形成される。
【００３４】
検査用プレート１が樹脂で形成される場合には、検査用プレート１を射出成形によって成形することが好ましく、場合によっては熱プレスを施して、プレート基板２の表面２ａに形成される溝を高アスペクト比のものとして成形する。また、検査用プレート１がガラスで形成される場合には、検査用プレート１を熱プレスにより成形する。
【００３５】
プレート基板２の表面２ａの、図示Ｙ２側の端部に上流側収納部４が球面に近いくぼみ状の溝形状で形成され、上流側収納部４から、一定の幅を有し、図示Ｙ１方向に延びる流路５が溝形状で形成されている。プレート基板２の表面２ａの、図示Ｙ１側の端部には下流側収納部６が溝形状で形成されている。
【００３６】
上流側収納部４は流路５を流れる検体の流れ方向の上流側に位置して、流路５と連結され、下流側収納部６は前記検体の流れ方向の下流側に位置して、流路５と連結されている。
【００３７】
図２に示すように、流路５は、一定の幅を有する直線状に形成されている。流路５を直線状に形成すると、流路５内に前記検体が流れる際、素早く前記検体を下流側収納部６まで導くことができて好ましい。なお、流路５は直線状以外の形状であってもよい。
【００３８】
また、図１および図２に示すように、下流側収納部６の平面形状は略円形状で形成されているが、円形状以外の形状であってもよい。
【００３９】
上流側収納部４は、底面４ａと、底面４ａからプレート基板２の表面２ａに向けて延びる左右（図示Ｘ１−Ｘ２方向）両側面４ｂ１および上流側側面４ｂ２とを有し、底面４ａと側面４ｂ１，４ｂ２とで前記溝が構成される。底面４ａは、図３に示すように、所定の長さＬ０を有し、くぼみ状の凹面となっている。上流側側面４ｂ２はＸＹ平面に対して傾斜角θを有する傾斜面となっている。
【００４０】
流路５および下流側収納部６は、それぞれ底面５ａ，６ａと、底面５ａ，６ａからプレート基板２の表面２ａに向けて延びる側面５ｂ，６ｂとを有し、前記底面と前記側面とで前記溝が構成される。
【００４１】
すなわち、プレート基板２の表面２ａと、上流側収納部４の底面４ａおよび側面４ｂ１，４ｂ２の表面と、流路５の底面５ａおよび側面５ｂの表面と、下流側収納部６の底面６ａおよび側面６ｂの表面とが、上流側収納部４から下流側収納部６まで至る空間を構成する表面となっている。
【００４２】
図３に示すように、上流側収納部４の底面４ａは、下流側収納部６の底面６ａよりも上方（図示Ｚ１方向）に位置し、流路５の底面５ａが下流側収納部６へ向けて下方向へ傾く傾斜面となっている。
【００４３】
次に、本発明の検査用プレート１の構造的な特徴部分を検査方法と合わせて説明する。
まず、下流側収納部６内に試薬８を収納する。検査用プレート１をＤＮＡチップ等として用いる場合には、多数のプローブ（ＤＮＡ断片）が下流側収納部６内に収納される。
【００４４】
次に、図２および図３に点線で示すように、人体から採取した血液や尿等の検体７を上流側収納部４内に、上方から滴下して徐々に収納していく。ＤＮＡ検査の場合には、前記血液に所定の処理が施された検体７が上流側収納部４内に収納される。
【００４５】
上流側収納部４の底面４ａと側面４ｂ１，４ｂ２の表面は撥水処理されており、撥水面となっている。以下では、底面４ａ、側面４ｂ１，４ｂ２のことを撥水底面４ａ、撥水側面４ｂ１，４ｂ２と称する場合がある。
【００４６】
撥水処理としては、図３に太線で示すように、底面４ａ、側面４ｂ１，４ｂ２に撥水剤をコーティングし、撥水性に優れたコーティング層９を形成する。
【００４７】
底面４ａ、側面４ｂ１，４ｂ２が撥水面であるため、検体７は撥水底面４ａ、撥水側面４ｂ１，４ｂ２によって反発力を受け、球状となる。その結果、検体７の流路５への流出が防止され、検体７を所定量に至るまで上流側収納部４内に適切に留めておくことができる。
【００４８】
また、本発明では、図３に示すように、上流側収納部４の底面４ａが、検体７を上流側収納部４内に保持する保持手段として機能しており、くぼみ状の凹面となっている。このため、検体７を、所定量に至るまで上流側収納部４内に確実に保持することができる。なお、底面４ａの凹面の曲率は大きく、底面４ａはほぼ平面に近い、ゆるやかな曲面となっている。
【００４９】
また、上流側側面４ｂ２の傾斜角θは、９０度以下であることが好ましい。傾斜角θが９０度以下であると、検体７を上流側収納部４内に保持しやすくなる。
【００５０】
検体７を上流側収納部４内に徐々に収納していくと、上流側収納部４の底面４ａ、側面４ｂ１，４ｂ２が撥水面であるため、上流側収納部４内で保持される検体７が、図３に点線で示すように、球形状になる。そして、図３に矢印で示すように、上流側収納部４内での検体７の量が増加していく。すなわち、検体７の半径ｒが増加し、半径ｒの増加に伴って検体７の体積Ｖが増加していく。その後、検体７は、図３に実線で示すような収納最大半径ｒ０を有する収納最大球Ｋ０になる。このとき、収納最大球Ｋ０の中心Ｃ０が、上流側収納部４と流路５の連結部Ｐの図示Ｚ１−Ｚ２方向の真上に位置する。その後、さらに検体７を上流側収納部４内に収納すると、検体７は、収納最大半径ｒ０よりも大きな半径を有する球Ｋ１となり、球Ｋ１の中心Ｃ１は、連結部Ｐの図示Ｚ１−Ｚ２方向の真上の位置よりも流路５側に位置するようになる。このような状態になると、検体７を上流側収納部４内に留めておくことができず、検体７の上流側収納部４内での保持が解除され、流路５に流出する。すなわち、検体７は、収納最大球Ｋ０の収納最大体積Ｖ０になったときに、上流側収納部４から流路５に自動的に流出する。ここで、収納最大半径ｒ０は、上流側収納部４の断面形状、すなわち底面４ａの長さＬ０および上流側側面４ｂ２の傾斜角θによって決定される。よって、収納最大体積Ｖ０が、上流側収納部４の断面形状によって決定される。このため、たとえば、ＤＮＡ検査に必要な検体７の量が所定量に決まっている場合には、上流側収納部４の断面形状を前記所定量に適合する形状とすることができる。その結果、検体７を上流側収納部４内に徐々に収納していくと、検体７が前記所定量になったときに、上流側収納部４から流路５に自動的に流出するので、検体７を所定量だけ容易に、かつ再現性よく正確に上流側収納部４から流出させることができる。このようにすると、所定量を予め測定しておくことが不要となり、測定にかかる時間を短縮することができる。よって、検査全体にかかる時間を短縮することができる。また、特に、前記所定量が微量である場合には、その量を正確に測定することが困難であるが、上記のようにすると、前記所定量が上流側収納部４の断面形状により自動的に決まるため、測定誤差等の発生を防ぐことができる。
【００５１】
なお、上流側収納部４の側面４ｂ１，４ｂ２の形状は、図１および図２に示す形状には限定されず、検体７が上流側収納部４から流出することが妨げられないような形状であればよい。
【００５２】
図４は撥水剤が、テフロン（登録商標）樹脂によって形成される従来の場合と、トリアジン環を有し、前記トリアジン環は、フッ素を含む置換基を１個または２個有するものである本発明の場合とを、表面張力と接触角の余弦値との関係で比較したグラフである。図４では、黒丸プロットを含むグラフが本発明の場合のグラフで、白丸プロットを含むグラフが従来の場合のグラフである。
【００５３】
本発明では、前記撥水剤が、たとえば、下記の化学式１のような、トリアジン環を有し、前記トリアジン環は、フッ素を含む置換基を１個または２個有するものである。
【化１】
2006105813.tif 000003
【００５４】
上記の化学式１において、ｎはたとえば８である。
このため、図４に示すように、従来の、フッ素が含有された樹脂、すなわちテフロン（登録商標）によって形成される場合における、臨界表面張力γｃ０（図中白丸プロットをｃｏｓθ＝１に外挿したときの表面張力の値）と比べて、本発明の場合における臨界表面張力γｃ１（図中黒丸プロットをｃｏｓθ＝１に外挿したときの表面張力の値）が、小さくなっている。このことは、本発明の場合のほうが、従来のテフロン（登録商標）の場合と比べて、接触角θが大きいことを示している。すなわち、本発明のように、前記撥水剤を、トリアジン環を有し、前記トリアジン環を構成する元素の一部がフッ素に置換されたものとすると、従来の、テフロン（登録商標）によって形成される場合と比べて、撥水効果を高くすることができる。撥水効果が高くなると、検体７は、より真球に近い状態で、上流側収納部４内に保持される。その結果、所定量未満の検体７を確実に上流側収納部４に保持できるとともに、より正確な量の検体７を、上流側収納部４から流出させることができる。
【００５５】
また、本発明では、前記撥水剤は、チオールあるいはアルコキシシランのどちらかまたは両方を置換基として含むものであることが好ましい。このようにすると、プレート基板２とコーティング層９との間の接着力が強まり、コーティング層９がプレート基板２から剥がれ、前記撥水効果が低下するというようなトラブルを防止することができる。
【００５６】
図２に点線と矢印で示すように、所定量の検体７が上流側収納部４から流出すると、検体７は流路５の底面５ａ上に移動し、流路５を通って、下流側収納部６内に至る。検体７が下流側収納部６内に至ると、下流側収納部６内で検体７と試薬８とが混合される。そして、検体７と試薬８との混合物が所定の反応をしたか否か等が測定される。
【００５７】
本発明では、検体７を所定量だけ容易に、かつ再現性よく上流側収納部４から流出させることができる。このため、正確な量の検体７を試薬８と混合させることができ、また、前記測定および検査にかかる時間を短縮することができる。
【００５８】
また本発明では、流路５の底面５ａは、図３に示すように、流路５の下流に向かって、所定の角度αを有する傾斜面であることが好ましい。底面５ａが傾斜面であると、上流側収納部４から流出した検体７が下流側収納部６に移動しやすくなる。
【００５９】
また、コーティング層９を、上流側収納部４の底面４ａ、側面４ｂ１，４ｂ２のみに形成する場合には、流路５の底面５ａおよび側面５ｂのようなコーティング層９を形成しない部分にマスクをかけておかなければならず、煩雑な作業となる。そこで、コーティング層９は、上流側収納部４の底面４ａ、側面４ｂ１，４ｂ２だけに形成するのではなく、プレート基板２の表面２ａも含め全体的に、すなわち、流路５の底面５ａおよび側面５ｂの表面と下流側収納部６の底面６ａおよび側面６ｂの表面にも形成することが好ましい。このようにすると、前記煩雑な作業が不要となり、コーティング層９の形成作業の作業性を向上させることができる。
【００６０】
さらに、上記のように、流路５の底面５ａおよび側面５ｂの表面にコーティング層９を形成すると、撥水効果が発揮されるため、流路５の底面５ａ上においても検体７の球形状が維持され、検体７が、傾斜面となっている流路５の底面５ａ上を移動しやすくなる。
【００６１】
図５は本発明のプレート基板の変形例を示す平面図である。
本変形例では、上流側収納部が上流側収納部４０ａ，４０ｂといったように二つ設けられ、上流側収納部４０ａ，４０ｂからそれぞれ下流側収納部６に向けて流路５０ａ，５０ｂが形成されている。流路５０ａ，５０ｂは、それぞれ、流路５０ａ，５０ｂの下流側で下流側収納部６と連結している。本変形例では、これらの点が図１および図２の場合と異なっており、他の構造等は、図１および図２の場合と同様である。図１および図２の場合と同様の部分には同一の符号を付して説明を省略する。なお本変形例においては、少なくとも上流側収納部４０ａ，４０ｂを構成する底面および側面の表面が撥水面となっている。
【００６２】
本変形例では、上流側収納部が２つ設けられている。このため、検体７が多量に必要な場合、あるいは複数種類必要な場合においても、正確な量の検体７を上流側収納部４０ａ，４０ｂから下流側収納部６へ移動させることができ、試薬８と適切に混合させることができる。
【００６３】
なお、プレート基板２に設けられる上流側収納部は２つには限定されず、複数個設けられていればよい。
【００６４】
また、上記においては、プレート基板２の表面２ａの、図示Ｙ２側の端部に上流側収納部が形成され、図示Ｙ１側の端部に下流側収納部が形成されている構造について説明したが、図示Ｙ２側の端部に下流側収納部が形成され、図示Ｙ１側の端部に上流側収納部が形成されていてもよい。
【００６５】
本発明の検査用プレート１は、血液検査や尿検査、あるいは、ＤＮＡチップやプロテインチップの簡便な診断用として使用でき、また反応、分離、分析等を一つのプレート上で行うことができるμ−ＴＡＳ（micro-total  analysis  system）や、Ｌａｂ−ｏｎ−ｃｈｉｐ、あるいはマイクロファクトリー用のプレートの一部として用いることが可能である。
【図面の簡単な説明】
【００６６】
【図１】本発明の検査用プレートを示す斜視図、
【図２】本発明のプレート基板を示す平面図、
【図３】上流側の溶液が流路に流出する直前の状態を示す断面図、
【図４】撥水剤が、テフロン（登録商標）樹脂によって形成される従来の場合と、トリアジン環を有し、前記トリアジン環は、フッ素を含む置換基を１個または２個有するものである本発明の場合とを、表面張力と接触角の余弦値との関係で比較したグラフ、
【図５】本発明のプレート基板の変形例を示す平面図、
【図６】図６Ａは従来のセル基板を示す斜視図、図６Ｂは図６Ａの１０−１０線における中央横断面図
【符号の説明】
【００６７】
１  検査用プレート
２  プレート基板
３  蓋体
４，４０ａ，４０ｂ  上流側収納部
４ａ，５ａ  底面
４ｂ２  上流側側面
５，５０ａ，５０ｂ  流路
６  下流側収納部
７  上流側物質
８  下流側物質
９  コーティング層
Ｃ０  中心
Ｋ０  収納最大球
Ｐ  連結部
Ｖ０  収納最大体積
ｒ０  収納最大半径
【図１】
2006105813.tif 000004
【図２】
2006105813.tif 000005
【図３】
2006105813.tif 000006
【図４】
2006105813.tif 000007
【図５】
2006105813.tif 000008
【図６】
2006105813.tif 000009